(57)【要約】【課題】可撓性の樹脂フィルムで構成される柔軟な胴部を安定して把持することができるようにしたパウチ容器を提供する。【解決手段】可撓性の樹脂フィルム２，３で構成される胴部１０を備えたパウチ容器において、前記胴部１０の表裏面の少なくともいずれか一方のフィルム面に、胴部１０を握る際の指の支えとなる面剛性を有する把持部材２０を部分的に貼り付けもので、把持部材２０は、指が引っ掛かる指掛り部２１を備えている。また、把持部材２０の指当接部２２には滑り止めの凹凸パターン２２ａが設けられている。【選択図】  図１
2008120403.tif 000002
【特許請求の範囲】
【請求項１】
可撓性の樹脂フィルムで構成される胴部を備えたパウチ容器において、
前記胴部の表裏面の少なくともいずれか一方のフィルム面に、胴部を握る際の指の支えとなる面剛性を有する把持部材を部分的に貼り付けたことを特徴とするパウチ容器。
【請求項２】
把持部材は、指が引っ掛かる指掛り部を備えている請求項１に記載のパウチ容器。
【請求項３】
把持部材の指当接部には滑り止めが設けられている請求項１または２に記載のパウチ容器。
【請求項４】
胴部は表裏一対のフィルムの左右両端縁をヒートシールした構成で、胴部の表裏面が充填された内容物によって膨れて湾曲した構成となっており、把持部材は胴部の膨れた面の頂部付近に貼り付けられる請求項１乃至３のいずれかの項に記載のパウチ容器。
【請求項５】
胴部の底部には二つ折りの底部フィルムがヒートシールされ、内容物によって底部フィルムが開いて自立する構成となっている請求項１乃至４のいずれかの項に記載のパウチ容器。
【請求項６】
把持部材は透明体で胴部表面が透けて見える構成となっている請求項１乃至５のいずれかの項に記載のパウチ容器。
【発明の詳細な説明】
【技術分野】
【０００１】
本発明は、フィルムで製袋したパウチ容器に関し、特に手で持ちやすくしたものに関する。
【背景技術】
【０００２】
従来のこの種のパウチ容器としては、表裏一対の側壁フィルムの左右側縁をサイドシール部にて熱溶着して胴部を構成し、胴部の下縁部に底部フィルムをボトムシール部にて熱溶着した自立可能のパウチ容器が知られている。
しかし、従来のパウチ容器は、胴部を握ると大きく変形して大変持ちにくいものであった。また、開口している場合には、不用意に持つと、持つと同時に胴部が圧迫されて変形し、内容物が飛び出てしまうという問題があった。
【０００３】
このような持ちにくさを解消するために、特許文献１には、胴部に帯状部材を貼設し、帯状部材に設けた把手部を起こして摘むようにした帯付き包装袋が記載されている。
また、特許文献２には、前後壁面に補助板を貼り付け、把持位置の板状材を切り欠いて把手部とする補助板体付き合成樹脂製袋が記載されている。
【０００４】
しかし、特許文献１に記載の帯付き包装袋は、帯状部材を胴部の両側縁に位置するヒートシール部に接着した構成で、胴部の表裏側面に対しては被せられているだけなので、内容物の重量が大きい場合には、帯状部材が延びて持ちにくく、安定性が悪い。また、使用者に帯状部材に設けた把手部を引き起こす作業を強いることになり、作業性も悪いという問題がある。
【０００５】
また、特許文献２に記載の合成樹脂製袋は、矩形体形状に限定されるもので、既存のスタンディングパウチのように、表裏一対のフィルムによって構成され、内容物が充填されると丸く湾曲するような表面形状のパウチには適用することができない。
さらに、この袋についても、補助板体を切り欠いて把手部を形成するもので、特許文献１の場合よりも安定性がよいものの、取っ手を引き起こす必要があり、作業性が悪い。
その他、特許文献３には、側面の上下及びまたは左右両端間に渡るように板状材を貼着したパウチ容器が記載されているが、どのように持ち上げるのか具体的に記載されていない。
【特許文献１】特開２００５−０８８９２７号
【特許文献２】特開２０００−０８５７８９号
【特許文献３】特開２００１−２１３４４５号
【発明の開示】
【発明が解決しようとする課題】
【０００６】
本発明は上記した従来技術の問題点を解決するためになされたもので、その目的とするところは、可撓性の樹脂フィルムで構成される柔軟な胴部を安定して把持することができるようにしたパウチ容器を提供することにある。  
【課題を解決するための手段】
【０００７】
上記目的を達成するために、請求項１に係る発明は、可撓性の樹脂フィルムで構成される胴部を備えたパウチ容器において、前記胴部の表裏面の少なくともいずれか一方のフィルム面に、胴部を握る際の指の支えとなる面剛性を有する把持部材を部分的に貼り付けたことを特徴とする。
請求項２に係る発明は、把持部材は、指が引っ掛かる指掛り部を備えていることを特徴とする。
請求項３に係る発明は、把持部材の指当接部には滑り止めが設けられていることを特徴とする。
【０００８】
請求項４に係る発明は、胴部は表裏一対のフィルムの左右両端縁をヒートシールした構成で、胴部の表裏面が充填された内容物によって膨れて湾曲した構成となっており、把持部材は胴部の膨れた面の頂部付近に貼り付けられることを特徴とする。
請求項５に係る発明は、胴部の底部には二つ折りの底部フィルムがヒートシールされ、内容物によって底部フィルムが開いて自立する構成であることを特徴とする。
請求項６に係る発明は、把持部材は透明体で胴部表面が透けて見える構成となっていることを特徴とする。
【発明の効果】
【０００９】
請求項１に係る発明によれば、胴部に貼り付けられた把持部材を支えにして胴部を握り、内容物を注出する。胴部は変形自在なので、把持部材は胴部表面に浮いたような不安定な状態である。しかし、握った際には、力が把持部材の全面に分散されて胴部に作用し、胴部に対して幾分沈み込むものの胴部の変形量が小さく、胴部からの反作用としての抵抗力が強く働き、胴部を手でしっかりと安定して握ることができる。
把持部材を部分的に貼り付けるだけなので、胴部の形状が湾曲するような形状であっても、貼り付けた部分の変形が規制されるだけなので、どんな形状の胴部に対しても適用可能である。
【００１０】
請求項２に係る発明によれば、把持部材に指が引っ掛かる指掛り部を設けることにより、指に引っ掛けて胴部を支えることができる。
請求項３に係る発明によれば、凹凸等の滑り止めを設けておくことにより、握った際の指の滑りを防止することができる。
【００１１】
請求項４に係る発明のように、胴部の表裏面が内容物によって膨れて湾曲する場合には、把持部材は胴部の膨れた面の頂部付近に貼り付けられることが好ましい。このように頂部付記に貼り付ければ、胴部の膨らみが妨げられず、内容量に影響がない。
請求項５に係る発明のように、自立パウチに用いれば、把持部材の面剛性によって胴部が平面状態に保持されるので、パウチ上部の頭折れを防止することができる。
請求項６に係る発明によれば、把持部材が透明体によって構成されているので、胴部表面の印刷等は隠されない。
【発明を実施するための最良の形態】
【００１２】
以下に本発明を図示の実施の形態に基づいて詳細に説明する。
図１は本発明の実施の形態に係るパウチ容器の全体構成を示している。
このパウチ容器１はいわゆるスタンディングパウチで、可撓性の樹脂フィルムで構成される胴部１０を備えている。胴部１０は、表裏一対の側壁フィルム２，２の左右側縁をサイドシール部３，４にて熱溶着して構成され、この胴部１０の底部に底部フィルム６がボトムシール部７にて熱溶着されている。
【００１３】
このパウチに使用される材質としては特に制限はなく、ナイロン、直鎖状−、低−、高密度ポリエチレン、ポリプロピレン等のポリオレフィン類、ポリエチレンテレフタレートなどのポリエステル類等の熱可塑性樹脂、バリア性フィルム（例：蒸着フイルム、アルミラミネートフィルム）等を用いることができる。
【００１４】
側壁フィルム２はほぼ平面四角形状で、上部角部に内容物を注出するための注口部８が突出形成されている。この例では注口部８がフィルムで構成されているが、スパウトを用いたものでもよい。側壁フィルム２の上縁は内容物充填後に熱溶着される上ヒートシール部９となっている。底部フィルム６と側壁フィルム２，２のボトムシール部７，７は、二つ折りの底部フィルム６の前後下縁と各側壁フィルム２，２の下縁とを熱溶着したもので、前後のボトムシール部７，７の左右側縁が接着されている。
【００１５】
そして、胴部１０の表裏面に当たる側壁フィルム２，２には、胴部１０を握る際の指の支えとなる面剛性を有する把持部材２０が部分的に貼り付けられている。胴部１０の表裏面は充填された内容物によって膨れて湾曲した構成となるので、把持部材２０は胴部１０の膨れた面の比較的平らな頂部付近に貼り付けられている。把持部材２０は上下に長い角丸長方形状の薄板で、前後から内容物の重心位置を挟むように配置されている。
【００１６】
この把持部材２０の材料としては、たとえば、ポリプロピレン，ポリエチレン、ポリエチレンテレフタレート等の各種プラスチック材が適用可能であるし、複数の材料を積層した積層体構造としてもよい。プラスチック材に限定されるものではなく、応力を分散できる程度の剛性がある材料であれば、紙，ゴム，金属、木材，布等、種々の材料が利用可能である。パウチのフィルム材料と同材質の樹脂材を用いれば、廃棄時の分別の問題が無く、廃棄性に優れている。
把持部材２０の厚さは適度の剛性を有する厚みがあればよく、材質，大きさ等を勘案して適宜設定される。厚すぎると剛性が大きくなりすぎて柔軟性が損なわれるし、薄すぎると握った際に把持部材２０の形状を保てない。
【００１７】
この実施の形態では、把持部材２０を透明のプラスチック板によって構成したもので、面剛性を高めるために、外周縁には直角に立ち上がる縁取り部２６が設けられ、縁取り部２６の内側には、縁取り部２６より一回り小さい角丸長方形状の外周ビード２３が形成されている。縁取り部２６の高さよりも外周ビード２３の方が若干高さが高い。この外周ビード２３で取り囲まれた長方形状の領域が横方向に延びる２つの横ビード２４，２４によって上下方向に３領域に区分されており、中央の領域が把持領域Ｇとなっている。縁取り部２６については、他のビードで十分な剛性が得られれば、特に設けなくてもよい。
【００１８】
この把持領域Ｇの下半部が指が当接する指当接部２２となっており、この指当接部２２には滑り止めの凹凸パターン２２ａが成形されている。凹凸パターン２２ａは、図示例では格子状の突条を多数形成した構成となっている。この指当接部２２の上部に、指が引っ掛かる指掛り部を構成する指掛かりビード２１が設けられている。指掛かりビード２１は、把持領域Ｇ内を上下に区分するように横方向に延びているが、図中右下がりに傾斜しており、右端の位置でさらに下方に向け屈曲する屈曲部２１ａを備えている。
【００１９】
一方、把持領域Ｇの指掛かりビード２１の上方には、指掛かりビード２１が下辺となるような横向きの涙滴形状を呈する傾斜面部２７が設けられている。この傾斜面部２７は、上辺側から下辺側の指掛かりビード２１に向けて徐々に高さが高くなるように傾斜する構成で、手探りでも指掛かりビード２１の位置が分かるようになっている。
表側と裏側に貼り付けられる把持部材２０は、指掛かりビード２１と傾斜面部２７が左右対称形状となっている以外は同一の形状である。この傾斜面２７については、傾斜面とせず、指掛かり部から連続する平坦な台状としてもよい。指掛かりビード２１が高くなっていてもよいし、同じ高さで台状に連続するようになっていてもよい。このようにすると、箱詰め等複数のパウチを扱う際に引っ掛からず、作業性がよい。
【００２０】
本発明によれば、図１に示すように、胴部１０に貼り付けられた把持部材２０を支えにして胴部１０を握り、内容物を注出する。握る位置は、把持部材２０の指当接部２２である。指当接部２２には凹凸パターン２２ａが形成されているので、指の位置を容易に判断できる。指当接部２２を握ると、自然に指が指掛り部２１に引っ掛かり、強く握らなくても胴部１０を支えることができる。
【００２１】
把持部材２０が貼り付けられた胴部１０の中央部は変形自在なので、把持部材２０は胴部１０表面に浮いたような不安定な状態である。しかし、把持部材２０は面剛性を有するので、握った際には、力が把持部材２０の全面に分散されて胴部１０に作用し、胴部１０に対して幾分沈み込むものの胴部１０の変形量が小さく、胴部１０からの反作用としての抵抗力が強く働き、胴部１０を手でしっかりと安定して握ることができる。したがって、内容物を安定して注出することができる。
【００２２】
把持部材２０を部分的に貼り付けるだけなので、胴部２０の形状が湾曲するような形状であっても、貼り付けた部分だけが変形が規制されるだけで、胴部２０の形状は制約されない。したがって、どのような形状のパウチ容器に対しても適用可能である。また、このように頂部付近に貼り付ければ、胴部１０の膨らみが妨げられず、内容量に影響がない。
また、陳列時には、把持部材２０の面剛性によって胴部２０の側面フィルム２，２が平面状態に保持されるので、パウチ上部の頭折れを防止することができる。
このように把持部材２０を胴部１０に貼り付けるだけなので、既存のパウチ容器にも広く利用することができる。
【００２３】
なお、上記実施の形態では、凹凸パターン２２ａを格子状としたが、内容物を識別するための識別点字でパターンを構成してもよい。このようにすれば、手探りで内容物が判別できる。
また、上記実施の形態では、胴部１０の表裏両面に把持部材２０を貼り付けたが、両面ではなく、片面だけに貼り付けてもよい。
さらに、両面に貼り付ける場合、上記実施の形態では把持部材２０を左右対称的に形成したが、同一形状として、親指側は指掛かり部が凸になるように、反対側では凹になるように裏向きに貼り付けるようにしてもよい。両面に貼り付けるので、安定がよく、箱詰め時の容積効率など、スタック性もよい。
また、把持部材の形状は、上下に長い縦長長方形状に限定されず、横長の長方形状としてもよいし、正方形としてもよい。また、その他の多角形、円形、楕円形等種々の形状が適用可能である。
【図面の簡単な説明】
【００２４】
【図１】図１は本発明の実施の形態１に係るパウチ容器を示すもので、同図（Ａ）は概略正面図、同図（Ｂ）は概略側面図、同図（Ｃ）は概略平面図である。
【図２】図２は、図１の容器の把持部材を示すもので、同図（Ａ）は正面図、同図（Ｂ）は側面断面図、同図（Ｃ）は底面図である。
【符号の説明】
【００２５】
１  パウチ容器 
２  側壁フィルム
３，４  サイドシール部
６  底部フィルム
７  ボトムシール部
８  注口部
９  上ヒートシール部
１０  胴部    
２０  把持部材
２１  指掛かりビード（指掛かり部）
２１ａ  屈曲部
２２  指当接部
２２ａ  凹凸パターン
２３  外周ビード
２４  横ビード
２６  縁取り部
２７  傾斜面部
Ｇ  把持領域
【図１】
2008120403.tif 000003
【図２】
2008120403.tif 000004